(57)【要約】【課題】無線通信ユニットの防滴性を向上させ、かつ、電波状態を良好に保つ。【解決手段】プリンタは、筐体と、筐体の上方に配置されたプリンタカバーと、プリンタカバーに対して着脱可能な無線通信ユニットと、を備え、プリンタカバーの一端部は、プリンタカバーの他端部より上方に位置し、無線通信ユニットは、プリンタカバーの一端部側に配置される。【選択図】図１０
2018039234.tif 000002
【特許請求の範囲】
【請求項１】
筐体と、
前記筐体の上方に配置されたプリンタカバーと、
前記プリンタカバーに対して着脱可能な無線通信ユニットと、を備え、
前記プリンタカバーの一端部は、前記プリンタカバーの他端部より上方に位置し、
前記無線通信ユニットは、前記プリンタカバーの一端部側に配置される、
プリンタ。
【請求項２】
前記プリンタカバーは、傾斜面を有し、
前記傾斜面に沿って表示部が配置される、
請求項１に記載のプリンタ。
【請求項３】
前記プリンタカバーには、制御基板が配置され、
前記制御基板には、第１コネクタが配置され、
前記無線通信ユニットは、第２コネクタと、アンテナとを有し、
前記第２コネクタが前記第１コネクタに接続されたときに、前記アンテナの上端は前記制御基板より上方に位置する、
請求項２に記載のプリンタ。
【請求項４】
前記制御基板の一端部は、前記制御基板の他端部より上方に位置し、
前記第１コネクタは、前記制御基板の一端部に位置する、
請求項３に記載のプリンタ。
【請求項５】
前記無線通信ユニットは、第１部分と、前記第１部分に直交する第２部分と、を有し、
前記第２コネクタは、前記第１部分に配置され、
前記アンテナは、前記第２部分に配置される、
請求項３又は４に記載のプリンタ。
【請求項６】
前記第１部分には、取手が配置される、
請求項５に記載のプリンタ。
【請求項７】
前記プリンタカバーは、前記無線通信ユニットを支持する支持カバーを有する、
請求項１〜６の何れかに記載のプリンタ。
【請求項８】
前記筐体は、ロール状に巻回された印字媒体であるロール紙を収容する収容部を有し、
前記プリンタカバーに装着された前記無線通信ユニットは、前記収容部の上方に位置する、
請求項１〜７の何れかに記載のプリンタ。
【請求項９】
前記プリンタカバーに装着された前記無線通信ユニットの上端は、前記プリンタカバーに当接する、
請求項１〜８の何れかに記載のプリンタ。
【発明の詳細な説明】
【技術分野】
【０００１】
本発明は、プリンタに関する。
【背景技術】
【０００２】
従来、無線通信機能を有するプリンタが知られている。このようなプリンタは、無線通信によって印字データを取得し、当該印字データに対応する印字情報を印字媒体に印字する（例えば、特許文献１及び２を参照）。
【０００３】
プリンタの中には、水を使う場所（例えば、飲食店のキッチン）で使用されるものもある。このようなプリンタには、防滴性の向上が求められる。
プリンタの防滴性を向上させるためには、プリンタの部品をプリンタの内部に配置することが好ましい。無線通信機能を有するプリンタの場合、無線通信を制御する無線通信ユニットをプリンタの内部に配置することが好ましい。
【０００４】
プリンタの内部には、無線通信ユニット以外にも様々な部品が配置される。そのような部品の中には、無線通信用の電波に対する干渉（以下「電波干渉」という）を起こす電子部品も含まれる。電波干渉が起きると、電波状態が悪化する。
【０００５】
無線通信ユニットの防滴性を向上させ、かつ、電波状態を良好に保つためには、プリンタの内部における無線通信ユニット及び電子部品の位置関係が重要である。
【先行技術文献】
【特許文献】
【０００６】
【特許文献１】特開２００８−１６８５９０号公報
【特許文献２】特開２０１３−２４４６３８号公報
【発明の概要】
【発明が解決しようとする課題】
【０００７】
しかしながら、特許文献１及び２には、プリンタの内部における無線通信ユニット及び電子部品の位置関係について言及されていない。
特に、比較的小型なプリンタの場合、プリンタの内部の容積が小さいため、特許文献１及び２の技術では、無線通信ユニットの防滴性を向上させ、かつ、電波状態を良好に保つことは困難である。
【０００８】
本発明の目的は、無線通信ユニットの防滴性を向上させ、かつ、電波状態を良好に保つことである。
【課題を解決するための手段】
【０００９】
本発明の一態様は、
筐体と、
前記筐体の上方に配置されたプリンタカバーと、
前記プリンタカバーに対して着脱可能な無線通信ユニットと、を備え、
前記プリンタカバーの一端部は、前記プリンタカバーの他端部より上方に位置し、
前記無線通信ユニットは、前記プリンタカバーの一端部側に配置される、
プリンタである。
【発明の効果】
【００１０】
本発明によれば、無線通信ユニットの防滴性を向上させ、かつ、電波状態を良好に保つことができる。
【図面の簡単な説明】
【００１１】
【図１】本実施形態の印字媒体の概略図。
【図２】本実施形態のプリンタカバーが閉鎖位置にあるときのプリンタの斜視図。
【図３】本実施形態のプリンタカバーが開放位置にあるときのプリンタの斜視図。
【図４】図３の支持カバーがプリンタカバーの内部を開放したときのプリンタの斜視図。
【図５】図３の制御基板の斜視図。
【図６】本実施形態の無線通信ユニットの上方斜視図。
【図７】図６の無線通信ユニットの下方斜視図。
【図８】図５の制御基板に図６の無線通信ユニットを接続する方法を示す図。
【図９】図８の無線通信ユニットが制御基板に接続されたときの図２のプリンタカバーの断面図。
【図１０】本実施形態の搬送経路を示す概略図。
【発明を実施するための形態】
【００１２】
以下、本発明の一実施形態について、図面に基づいて詳細に説明する。なお、実施形態を説明するための図面において、同一の構成要素には原則として同一の符号を付し、その繰り返しの説明は省略する。
【００１３】
以下の説明において、「ＦＲ」はプリンタの前方を意味し、「ＲＲ」はプリンタの後方を意味する。
「ＵＰ」はプリンタを水平面に置いたときの上方を意味し、「ＬＯ」はプリンタを水平面に置いたときの下方を意味する。
「ＬＨ」及び「ＲＨ」は、プリンタの前後方向及び上下方向に直行する方向（以下「幅方向」という）を意味する。
印字媒体の搬送経路上の任意の基準に対して収容部側を「搬送方向上流側」といい、当該基準に対して排出口側を「搬送方向下流側」という。
【００１４】
（１）印字媒体
本実施形態の印字媒体について説明する。図１は、本実施形態の印字媒体の概略図である。
【００１５】
図１に示すように、ロール紙Ｒは、ロール状に巻回された印字媒体Ｐである。印字媒体Ｐは、台紙ＰＭと、複数枚のラベルＰＬとを有している。
台紙ＰＭは、仮着面ＰＭａと、仮着面ＰＭａと反対側の非仮着面ＰＭｂと、を有する。
仮着面ＰＭａには、複数枚のラベルＰＬが所定間隔毎に仮着されている。
非仮着面ＰＭｂには、所定間隔毎に基準マークＭが形成されている。基準マークＭは、ラベルＰＬの基準位置を示している。
【００１６】
各ラベルＰＬは、印字面ＰＬａと、粘着面（不図示）と、を有する。
印字面ＰＬａは、熱により発色する発熱層を含む。
粘着面には、粘着剤が塗工されている。
【００１７】
（２）プリンタの構成
本実施形態のプリンタの構成について説明する。図２は、本実施形態のプリンタカバーが閉鎖位置にあるときのプリンタの斜視図である。図３は、本実施形態のプリンタカバーが開放位置にあるときのプリンタの斜視図である。図４は、図３の支持カバーがプリンタカバーの内部を開放したときのプリンタの斜視図である。
【００１８】
図２〜図４に示すように、プリンタ１は、フロントパネル２と、筐体８と、プリンタカバー３と、タッチパネルディスプレイ４（表示部の一例）と、収容部６と、プラテンローラ１０と、サーマルヘッド１２と、第１補助ローラ１３と、第２補助ローラ１４と、剥離部１５と、支持カバー２０と、制御基板２１と、を備えている。
【００１９】
プリンタカバー３は、筐体８の上方ＵＰに配置される。プリンタカバー３の材料は、例えば、合成樹脂である。
プリンタカバー３の後端部３ｂ（一端部の一例）は、プリンタカバー３の前端部３ａ（他端部の一例）より上方ＵＰに位置する。
後端部３ｂは、筐体８の後端部に軸支されている。プリンタカバー３は、回動軸ＲＳ１を軸として、閉鎖位置（図２）と開放位置（図３）との間を筐体８に対して移動可能（つまり、回動可能）である。
閉鎖位置とは、プリンタカバー３が筐体８内を閉鎖する（例えば、プリンタ１の外部から筐体８内を視認不可能にする）位置である。
開放位置とは、プリンタカバー３が筐体８内を開放する（例えば、プリンタ１の外部から筐体８内を視認可能にする）位置である。
プリンタカバー３が閉鎖位置に位置する場合、プラテンローラ１０とサーマルヘッド１２とが対向する。
プリンタカバー３が、閉鎖位置から開放位置に向かって回動する場合、前端部３ａは、フロントパネル２及び筐体８の前端部から離間する方向に回動する。
プリンタカバー３が、開放位置から閉鎖位置に向かって回動する場合、前端部３ａは、フロントパネル２及び筐体８の前端部に近づく方向に回動する。
プリンタカバー３が開放位置に位置する場合、プラテンローラ１０とサーマルヘッド１２とが互いに離間している。
プリンタカバー３の上面は、プリンタカバー３が閉鎖位置にあるときに上方ＵＰを向き、かつ、プリンタカバー３が開放位置にあるときに後方ＲＲを向く。プリンタカバー３の上面は、傾斜面３ｃである。プリンタカバー３の上面の傾斜方向は、後端部３ｂが前端部３ａより上方ＵＰに位置する方向である。
プリンタカバー３の下面は、プリンタカバー３が閉鎖位置にあるときに下方ＬＯを向き、かつ、プリンタカバー３が開放位置にあるときに前方ＦＲを向く。
【００２０】
筐体８には、フロントパネル２と、収容部６と、第１補助ローラ１３と、プラテンローラ１０と、剥離部１５と、が配置される。
【００２１】
収容部６は、筐体８の後端部側に位置する。
収容部６は、ロール紙Ｒを収容するように構成される。
プリンタカバー３が開放位置（図３）にある場合、収容部６は、プリンタ１の外部からアクセス可能になる。したがって、ユーザは、ロール紙Ｒを収容部６にセットすることができる。
【００２２】
プラテンローラ１０は、第１補助ローラ１３の前方ＦＲに位置する。プラテンローラ１０は、筐体８に軸支されている（つまり、筐体８に対して回転可能である）。
プラテンローラ１０は、ステッピングモータ（不図示）に接続されている。プラテンローラ１０は、ステッピングモータの制御に従って、筐体８に対して回転することにより、印字媒体Ｐを搬送するように構成される。
【００２３】
第１補助ローラ１３は、収容部６の前方ＦＲに位置する。第１補助ローラ１３は、筐体８に軸支されている（つまり、筐体８に対して回転可能である）。
【００２４】
剥離部１５は、プラテンローラ１０の前方ＦＲに位置する。
剥離部１５は、少なくとも１つの平面を有する部材（例えば、剥離板）、又は、少なくとも１つの曲面を有する部材（例えば、剥離ピン）である。
剥離部１５は、プラテンローラ１０から前方ＦＲに向かって搬送される印字媒体Ｐのうち、台紙ＰＭを下方ＬＯ及び後方ＲＲに折り返すことにより、印字が行われたラベルＰＬを台紙ＰＭから剥離するように構成される。
【００２５】
図２に示すように、閉鎖位置にあるプリンタカバー３と筐体８との間（つまり、フロントパネル２の上方ＵＰ）には、ラベル排出口２ａが形成される。
フロントパネル２の下方ＬＯには、台紙排出口２ｂが形成される。
【００２６】
ラベル排出口２ａは、剥離部１５の前方ＦＲに位置する。
ラベル排出口２ａは、台紙ＰＭから剥離されたラベルＰＬを排出するように構成される。
【００２７】
台紙排出口２ｂは、ラベル排出口２ａの下方ＬＯに位置する。
台紙排出口２ｂは、ラベルＰＬが剥離された後の台紙ＰＭを排出するように構成される。
【００２８】
タッチパネルディスプレイ４は、所定の表示情報を表示するように構成される。表示情報は、プリンタ１に関する情報と、操作キー画像と、を含む。タッチパネルディスプレイ４は、例えば、タッチセンサを有する液晶ディスプレイである。
タッチパネルディスプレイ４は、プリンタカバー３の上面に沿って配置される。つまり、プリンタカバー３が閉鎖位置に位置する場合、タッチパネルディスプレイ４は、プリンタカバー３の上面の傾斜方向に傾斜する。これにより、プリンタ１の前方ＦＲからタッチパネルディスプレイ４を見るユーザにとって、表示情報が見易くなり、かつ、操作キー画像が操作し易くなる。
【００２９】
図３に示すように、プリンタカバー３には、サーマルヘッド１２と、第２補助ローラ１４と、支持カバー２０とが配置される。サーマルヘッド１２と、第２補助ローラ１４と、支持カバー２０とは、プリンタカバー３が閉鎖位置にある場合、プリンタカバー３の下面に位置する。
図４に示すように、制御基板２１は、プリンタカバー３の内部に設けられている。つまり、プリンタカバー３が開放位置に位置する場合、制御基板２１は、前後方向（ＦＲ−ＲＲ方向）において、タッチパネルディスプレイ４と支持カバー２０との間に位置する。
支持カバー２０及び制御基板２１は、幅方向（ＬＨ−ＲＨ方向）において、プリンタカバー３のほぼ中央に位置する。
【００３０】
サーマルヘッド１２は、前端部３ａに位置する。
【００３１】
第２補助ローラ１４は、プリンタカバー３に軸支されている（つまり、プリンタカバー３に対して回転可能である）。
第２補助ローラ１４は、第１補助ローラ１３に従動回転することにより、印字媒体Ｐの搬送を補助するように構成される。
【００３２】
支持カバー２０は、支持部２０ａと、係合部２０ｂと、を有する。
係合部２０ｂは、プリンタカバー３に回動可能に係合している。
つまり、支持カバー２０は、プリンタカバー３に軸支されている。支持カバー２０は、プリンタカバー３に対して回動することにより、プリンタカバー３の内部が開放又は閉鎖される。
【００３３】
図４に示すように、開放位置に位置するプリンタカバー３の内部が開放されると、後端部３ｂに開口部ＯＰが形成される。この開口部ＯＰを介して、プリンタ１の外部から制御基板２１にアクセス可能になる。
【００３４】
（３）無線通信ユニットの着脱機構
本実施形態の無線通信ユニットの着脱機構について説明する。
【００３５】
（３−１）制御基板の構造
本実施形態の制御基板の構造について説明する。図５は、図３の制御基板の斜視図である。
【００３６】
図５に示すように、制御基板２１は、第１コネクタ２１ａと、コントローラ２１ｂと、を有する。
【００３７】
第１コネクタ２１ａは、幅方向（ＬＨ−ＲＨ方向）において、制御基板２１の中央に位置する。第１コネクタ２１ａは、前後方向（ＦＲ−ＲＲ方向）において、制御基板２１の中心線２１ｅを基準として後方ＲＲの領域（以下「後方領域」という）の端部（以下「後端部」という）２１ｄａに位置する。
第１コネクタ２１ａは、無線通信ユニット（不図示）のコネクタと接続可能である。
【００３８】
コントローラ２１ｂは、前後方向（ＦＲ−ＲＲ方向）において、制御基板２１の中心線２１ｅを基準として前方ＦＲの領域（以下「前方領域」という）２１ｃに位置する。コントローラ２１ｂは、通信制御機能と、表示制御機能と、指示受付機能と、印字制御機能と、を実現する。
【００３９】
通信制御機能を実現するコントローラ２１ｂは、無線通信ユニットを介して、プリンタ１と、プリンタ１に無線接続される装置（例えば、スマートフォン、タブレット端末、パーソナルコンピュータ、又は、サーバ等）との間の無線通信を制御する。通信制御機能により、プリンタ１は、ネットワーク（例えば、インターネット、イントラネット、ローカルエリアネットワーク、又は、それらの組合せ等）に接続される。
【００４０】
表示制御機能を実現するコントローラ２１ｂは、表示情報をタッチパネルディスプレイ４に表示させる。
【００４１】
ユーザがタッチパネルディスプレイ４に表示された操作キー画像に触れると、指示受付機能を実現するコントローラ２１ｂは、ユーザが触れた操作キー画像に対応する指示を受け付ける。
【００４２】
印字制御機能を実現するコントローラ２１ｂは、ステッピングモータの駆動（つまり、プラテンローラ１０の回転）、及び、サーマルヘッド１２の発熱を制御する。
【００４３】
（３−２）無線通信ユニットの構造
本実施形態の無線通信ユニットの構造について説明する。図６は、本実施形態の無線通信ユニットの上方斜視図である。図７は、図６の無線通信ユニットの下方斜視図である。
図６Ａは、本実施形態の無線通信ユニット２２の外観を示している。図６Ｂは、無線通信ユニット２２の内部構造を示している。
【００４４】
図６の無線通信ユニット２２は、プリンタカバー３に対して着脱可能である。
無線通信ユニット２２は、第１部分２２ａと、第２部分２２ｂと、を有する。
第１部分２２ａ及び第２部分２２ｂは、互いに直交する。
【００４５】
第１部分２２ａは、前後方向（ＦＲ−ＲＲ方向）に延在している。
第１部分２２ａには、第２コネクタ２２ｃ（第２コネクタの一例）が配置される。第２コネクタ２２ｃは、第１部分２２ａの上方ＵＰに突出している（図６Ａを参照）。
【００４６】
第２部分２２ｂは、上下方向（ＵＰ−ＬＯ方向）に延在している。
第２部分２２ｂには、アンテナカバー２２ｄが配置される（図６Ａを参照）。
【００４７】
図６Ｂに示すように、アンテナカバー２２ｄ内には、アンテナ２２ｄａと、ケーブル２２ｄｂと、が配置される。
【００４８】
アンテナ２２ｄａは、上下方向（ＵＰ−ＬＯ方向）に延在している。アンテナ２２ｄａの上端は、第２コネクタ２２ｃの上端より上方ＵＰに位置する。
アンテナ２２ｄａは、無線通信用の電波を送受信するように構成される。
【００４９】
ケーブル２２ｄｂは、アンテナ２２ｄａと、第２コネクタ２２ｃと、に接続されている。
【００５０】
図７に示すように、無線通信ユニット２２の下面には、取手２２ｅが配置される。
取手２２ｅは、無線通信ユニット２２の下面から下方ＬＯに突出している。
【００５１】
（３−３）無線通信ユニットの着脱
本実施形態の無線通信ユニットの着脱について説明する。図８は、図５の制御基板に図６の無線通信ユニットを接続する方法を示す図である。図９は、図８の無線通信ユニットが制御基板に接続されたときの図２のプリンタカバーの断面図である。
【００５２】
ユーザは、プリンタカバー３が開放位置（図２）に位置しているときに、回動軸ＲＳ２（図９）を基準として、支持カバー２０をプリンタカバー３に対して反時計回り方向（図９）に回動させることにより、後端部３ｂに開口部ＯＰ（図４）が形成される。これにより、第１コネクタ２１ａがプリンタ１の外部からアクセス可能になる。支持カバー２０の回動には工具は不要である。
【００５３】
ユーザは、第２コネクタ２２ｃが上方ＵＰを向く（つまり、第２コネクタ２２ｃが第１コネクタ２１ａに対向する）ように、下方ＬＯに突出する取手２２ｅ（図７）を持つ。
【００５４】
ユーザは、開口部ＯＰを介して、第２コネクタ２２ｃを第１コネクタ２１ａに接続する。これにより、無線通信ユニット２２がプリンタカバー３に装着される。
無線通信ユニット２２は、後端部３ｂ（つまり、プリンタカバー３が閉鎖位置（図２）に位置するときに上方ＵＰに位置する端部）に配置される。
【００５５】
ユーザが支持カバー２０を時計回り方向（図９）に回動させると、プリンタカバー３の内部が閉鎖される。これにより、プリンタ１の防滴性を向上させることができる。
【００５６】
図９に示すように、支持部２０ａは、凹凸面２０ａａを有する。
プリンタカバー３の内部を閉鎖した支持カバー２０の凹凸面２０ａａは、無線通信ユニット２２の下面（つまり、第１部分２２ａの下面）に当接する。これにより、制御基板２１に接続された無線通信ユニット２２が下方ＬＯから支持される。
制御基板２１に接続された無線通信ユニット２２（つまり、プリンタカバー３に装着された無線通信ユニット２２）の上端は、プリンタカバー３の下面に当接する。これにより、制御基板２１に接続された無線通信ユニット２２が上方ＵＰから支持される。
つまり、プリンタカバー３及び支持カバー２０は、制御基板２１に接続された無線通信ユニット２２の上下方向（ＵＰ−ＬＯ方向）の位置を規定する。これにより、制御基板２１からの無線通信ユニット２２の脱離を防止することができる。
【００５７】
制御基板２１とタッチパネルディスプレイ４とは、上下方向（ＵＰ−ＬＯ方向）において互いに離間している。これにより、無線通信ユニット２２が制御基板２１に接続されたときに、アンテナ２２ｄａの前方ＦＲに空間ＳＰ１が形成される。
プリンタカバー３に装着された無線通信ユニット２２は、収容部６の上方ＵＰに位置する。収容部６は、プリンタ１内において最も大きな空間ＳＰ２を形成する。つまり、制御基板２１に接続された無線通信ユニット２２の下方ＬＯには、プリンタ１内において最も大きな空間ＳＰ２が形成される。
このように、無線通信ユニット２２が制御基板２１に接続されたときに、無線通信ユニット２２の周囲には空間ＳＰ１及びＳＰ２が存在する。空間ＳＰ１及びＳＰ２には、電波干渉を引き起こし得る部材が存在しない。換言すると、無線通信ユニット２２は、プリンタ１の内部において、電波干渉を引き起こし得る部材から最も遠い位置（つまり、電波干渉の可能性が最も低い位置）に配置される。したがって、無線通信ユニット２２の電波干渉を防ぐことができる。
【００５８】
図１０に示すように、プリンタカバー３の上面には、タッチパネルディスプレイ４が配置される。プリンタカバー３の上面は、傾斜面３ｃである。無線通信ユニット２２は、後端部３ｂに装着される。後端部３ｂは、前端部３ａより上方ＵＰに位置する。筐体８の後端部には、収容部６が配置される。収容部６は、ロール紙Ｒを収容するように構成される。したがって、収容部６は、プリンタ１内において最大の空間ＳＰ２（図９）を形成する。つまり、収容部６の上方ＵＰは、プリンタ１内において、無線通信ユニット２２の電波干渉が最も生じにくい領域である。したがって、無線通信ユニット２２の電波干渉を防ぐことができる。
【００５９】
コントローラ２１ｂは、制御基板２１の前方領域２１ｃに位置する。第１コネクタ２１ａは、後端部２１ｄａに位置する。つまり、制御基板２１に接続された無線通信ユニットとコントローラ２１ｂは、前後方向（ＦＲ−ＲＲ方向）において、所定距離以上離間している。したがって、コントローラ２１ｂによる電波干渉を防ぐことができる。
【００６０】
電波状態は、アンテナ２２ｄａの位置が上方ＵＰにあるほど良好になる。本実施形態では、無線通信ユニット２２が後端部３ｂに装着され、かつ、アンテナ２２ｄａが上下方向（ＵＰ−ＬＯ方向）に延在している。したがって、電波状態を良好に保つことができる。
【００６１】
（４）搬送経路
本実施形態の搬送経路について説明する。図１０は、本実施形態の搬送経路を示す概略図である。
【００６２】
図１０に示すように、印字媒体Ｐの搬送経路とは、収容部６と剥離部１５との間の経路である。印字媒体Ｐの搬送経路は、第１補助ローラ１３と、第２補助ローラ１４と、サーマルヘッド１２と、プラテンローラ１０と、を経由する。
ラベルＰＬの搬送経路とは、剥離部１５とラベル排出口２ａとの間の経路である。
台紙ＰＭの搬送経路とは、剥離部１５と台紙排出口２ｂとの間の経路である。台紙ＰＭの搬送経路は、第１ニップローラ１６と、第２ニップローラ１７と、を経由する。
【００６３】
収容部６には、ロール紙Ｒが収容されている。
【００６４】
第１補助ローラ１３及び第２補助ローラ１４は、収容部６を基準として搬送方向下流側に位置する。第１補助ローラ１３は、搬送経路の下方ＬＯに位置する。第２補助ローラ１４は、搬送経路の上方ＵＰに位置する。つまり、プリンタカバー３が閉鎖位置（図２）にあるときに、第１補助ローラ１３及び第２補助ローラ１４は、互いに対向する。
第１補助ローラ１３は、ステッピングモータに接続されている。第１補助ローラ１３は、ステッピングモータの制御に従って、筐体８に対して回転する。
第２補助ローラ１４は、第１補助ローラ１３に従動回転する。
第１補助ローラ１３及び第２補助ローラ１４は、印字媒体Ｐを挟持しながら回転することにより、印字媒体Ｐの搬送を補助するように構成される。
【００６５】
プラテンローラ１０及びサーマルヘッド１２は、第１補助ローラ１３及び第２補助ローラ１４を基準として搬送方向下流側に位置する。プラテンローラ１０は、搬送経路の下方ＬＯに位置する。
サーマルヘッド１２は、搬送経路の上方ＵＰに位置する。つまり、プリンタカバー３が閉鎖位置（図２）にあるときに、プラテンローラ１０及びサーマルヘッド１２は、互いに対向する。
【００６６】
剥離部１５は、プラテンローラ１０及びサーマルヘッド１２に対して搬送方向下流側に位置する。
【００６７】
第１ニップローラ１６及び第２ニップローラ１７は、剥離部１５を基準として搬送方向下流側に位置する。第１ニップローラ１６及び第２ニップローラ１７は、互いに対向する。
第１ニップローラ１６は、第２ニップローラ１７に従動回転する。
第２ニップローラ１７は、ステッピングモータに接続されている。第２ニップローラ１７は、ステッピングモータの制御に従って、筐体８に対して回転する。
第１ニップローラ１６及び第２ニップローラ１７は、台紙ＰＭを挟持しながら回転することにより、剥離部１５から台紙排出口２ｂに向かって台紙ＰＭを搬送するように構成される。
【００６８】
プラテンローラ１０がフォワード方向（図５の反時計周り方向）に回転すると、収容部６から、帯状の印字媒体Ｐ（ラベルＰＬ及び台紙ＰＭの組合せ）が、収容部６を基準として搬送方向下流側に繰り出される。繰り出された印字媒体Ｐの下面は、台紙ＰＭの非仮着面ＰＭｂである。繰り出された印字媒体Ｐの上面は、印字面ＰＬａである。
【００６９】
プラテンローラ１０がフォワード方向に回転すると、第１補助ローラ１３は、非仮着面ＰＭｂに当接しながら、図５の反時計回り方向に回転し、かつ、第２補助ローラ１４は、印字面ＰＬａに当接しながら、図５の時計回り方向に回転する。
【００７０】
コントローラ２１ｂには、ユーザの指示に応じて、印字面ＰＬａに印字すべき情報（以下「印字情報」という）に対応する印字データが与えられる。コントローラ２１ｂは、印字データに基づいて、各発熱素子を発熱させる。
印字媒体Ｐがサーマルヘッド１２とプラテンローラ１０との間を通過するときに、発熱した発熱素子が印字面ＰＬａに押し当てられる。発熱素子の熱により、印字面ＰＬａの発熱層が発色する。その結果、印字面ＰＬａに印字情報が印字される。
【００７１】
ラベルＰＬは、剥離部１５の前方端からラベル排出口２ａに向かって搬送される。
台紙ＰＭは、剥離部１５の前面に沿って、下方ＬＯ及び後方ＲＲに折り返された後、台紙排出口２ｂに向かって搬送される。
つまり、剥離部１５は、ラベルＰＬに対して、台紙ＰＭを鋭角に折り返す。これにより、剥離部１５において、ラベルＰＬが台紙ＰＭから剥離される。
【００７２】
台紙ＰＭから剥離されたラベルＰＬは、ラベル排出口２ａから排出される。
ラベルＰＬが剥離された後の台紙ＰＭ（つまり、剥離部１５の前方端を通過した台紙ＰＭ）は、第１ニップローラ１６及び第２ニップローラ１７を経由して、台紙排出口２ｂから排出される。
【００７３】
制御基板２１は、プリンタカバー３の傾斜方向に沿って配置される。制御基板２１の後端部２１ｄａ（一端部の一例）は、制御基板２１の前方領域２１ｃの端部（以下「前端部」という）２１ｃａ（他端部の一例）より上方ＵＰに位置する。
第１コネクタ２１ａは、後端部２１ｄａに位置する。
コントローラ２１ｂは、制御基板２１の前方領域２１ｃに位置する。つまり、第１コネクタ２１ａは、コントローラ２１ｂの後方ＲＲに位置する。
【００７４】
第２コネクタ２２ｃが第１コネクタ２１ａに接続されたときに、アンテナ２２ｄａの上端２２ｄａａは制御基板２１より上方ＵＰに位置する。
【００７５】
（５）その他の変形例
その他の変形例について説明する。
【００７６】
上述の実施形態では、台紙ＰＭ及びラベルＰＬを有する印字媒体Ｐを例示したが、印字媒体Ｐはこれに限られるものではない。印字媒体Ｐは、例えば、台紙ＰＭを有していないラベルＰＬであってもよい。
【００７７】
上述の実施形態では、サーマルヘッド１２が印字を行う例を示したが、印字を行う手段は、サーマルヘッド１２に限られない。
本実施形態は、インクリボンを用いて印字を行う場合にも適用可能である。
【００７８】
以上、本発明の実施形態について詳細に説明したが、本発明の範囲は上記の実施形態に限定されない。また、上記の実施形態は、本発明の主旨を逸脱しない範囲において、種々の改良や変更が可能である。また、上記の実施形態及び変形例は、組合せ可能である。
【符号の説明】
【００７９】
１            ：プリンタ
２            ：フロントパネル
２ａ          ：ラベル排出口
２ｂ          ：台紙排出口
３            ：プリンタカバー
３ａ          ：前端部
３ｂ          ：後端部
３ｃ          ：傾斜面
４            ：タッチパネルディスプレイ
６            ：収容部
８            ：筐体
１０          ：プラテンローラ
１２          ：サーマルヘッド
１３          ：第１補助ローラ
１４          ：第２補助ローラ
１５          ：剥離部
１６          ：第１ニップローラ
１７          ：第２ニップローラ
２０          ：支持カバー
２０ａ        ：支持部
２０ａａ      ：凹凸面
２０ｂ        ：係合部
２１          ：制御基板
２１ａ      ：第１コネクタ
２１ｂ      ：コントローラ
２１ｃ        ：前方領域
２１ｃａ      ：前端部
２１ｄ        ：後方領域
２１ｄａ      ：後端部
２２          ：無線通信ユニット
２２ａ        ：第１部分
２２ｂ        ：第２部分
２２ｃ        ：第２コネクタ
２２ｄ        ：アンテナカバー
２２ｄａ      ：アンテナ
２２ｄｂ      ：ケーブル
２２ｅ        ：取手
【図１】
2018039234.tif 000003
【図２】
2018039234.tif 000004
【図３】
2018039234.tif 000005
【図４】
2018039234.tif 000006
【図５】
2018039234.tif 000007
【図６】
2018039234.tif 000008
【図７】
2018039234.tif 000009
【図８】
2018039234.tif 000010
【図９】
2018039234.tif 000011
【図１０】
2018039234.tif 000012